(57)【特許請求の範囲】
【請求項１】
光源と光学システムを有する照明装置を含む顕微鏡において、
前記光源（１）は、規定された照明光路（２ａ）に沿って、コヒーレントな光線束を放射するよう構成されること、
前記照明光路（２ａ）に配された前記光学システムは、前記光線束を変化させて照射野（４）を成形するための光変調器（３）を含み、かつ該光変調器（３）は、前記照明光路（２ａ）に配されること、
前記光源は、互いに異なる波長を有する少なくとも２つのレーザダイオード（１、１ａ）を有すること、
前記照明装置（２６）は、該光変調器（３）を電子的に制御するための電子制御ユニット（６）を有し、該光変調器（３）は、照射野（４）が形状及び大きさに関し時間的に変化可能であるように、該光変調器（３）と接続された前記電子制御ユニット（６）によって制御可能に構成されること、
該顕微鏡の顕微鏡ハウジング（２３）に、前記照明装置（２６）のための円弧セグメント状支持体（１４）が配設され、該照明装置（２６）は、該円弧セグメント状支持体（１４）に沿って旋回運動可能に構成されること、及び、
前記円弧セグメント状支持体（１４）上における前記照明装置（２６）の旋回運動によって、該顕微鏡の顕微鏡軸（２５）に対する左右方向の照明角（β）として被検対象（１３）への照明の入射角は変化可能であること
を特徴とする顕微鏡。
【請求項２】
前記レーザダイオード（１、１ａ）の光を前記照明光路（２ａ）に差込入射可能に構成される差込入射装置（８ａ、８ｂ）を有すること
を特徴とする請求項１に記載の顕微鏡。
【請求項３】
前記照明装置（２６）は、前記照明光路の軸（２ａ）の周りで回動可能に支承されること
を特徴とする請求項１又は２に記載の顕微鏡。
【請求項４】
前記光変調器（３）は、偏向ミラー（３’）として構成されること
を特徴とする請求項１〜３の一に記載の顕微鏡。
【請求項５】
前記光変調器（３）は、スリット像（４）、中心照射野（４ａ）、照明リング（４ｂ）、及び三日月状照射野（４ｃ）の１以上を放射するよう構成されること
を特徴とする請求項１〜４の一に記載の顕微鏡。
【請求項６】
前記照射野（４）は、前記光変調器（３）及び前記電子制御ユニット（６）を介して回動可能に構成され及び／又は前記照射野（４）の１つの形状から前記照射野（４）の他の形状への連続的移行が実行可能に構成されること
を特徴とする請求項１〜５の一に記載の顕微鏡。
【請求項７】
前記光変調器（３）の前記照射野（４）は、前記円弧セグメント状支持体（１４）上の前記照明装置（２６）の一方の最外側の旋回位置（ａ）では、第１の三日月状照射野（４ｃ）であり、前記円弧セグメント状支持体（１４）上の中央の旋回位置（ｃ）では、スリット像（４）であり、及び前記円弧セグメント状支持体（１４）上の反対側の最外側の旋回位置（ｅ）では、前記第１の三日月状照射野（４ｃ）に対し鏡像対称的に配向される第２の三日月状照射野（４ｃ’）であること
を特徴とする請求項１〜６の一に記載の顕微鏡。
【請求項８】
前記顕微鏡軸（２５）に対する前後方向の照明角（α）が変化可能であるように前記照明装置（２６）の長手方向摺動運動を可能にする装置（１８）を有すること
を特徴とする請求項１〜７の一に記載の顕微鏡。
【請求項９】
ステレオ手術顕微鏡として構成されること、及び
前記光源（１）は、前記光変調器（３）と共に、スリットランプ（２６）として構成されること
を特徴とする請求項１〜８の一に記載の顕微鏡。
【発明の詳細な説明】
【技術分野】
【０００１】
本発明は、光源と光学システムを有する照明装置を含む顕微鏡に関し、とりわけ、眼科分野における手術及び診断に使用されるスリットランプを有する顕微鏡に関する。
【背景技術】
【０００２】
スリットランプとは、一般的に、眼球の前部部分（水晶体及び前部（naher）硝子体）の観察並びにコンタクトレンズ装用の際の調節のために使用される照明装置をいう。スリット像を用いることにより、診断ないし手術過程において、眼の構造及び層状構造をより良好に識別することができる。手術用スリットランプは、眼内手術、とりわけ網膜手術において、多くの場合、手術顕微鏡と組合せて使用される。その際、網膜上に生成される矩形状の照射野によって、（物理的には）極めて薄いものであるが患者にとっては極めて視覚を妨げる（視力を低下させる）病的に肥大した膜組織を、早期に識別しかつ首尾よく手術することができる。
【０００３】
そのような手術用スリットランプで、市場で入手可能なものとしては、例えば、名称「ライカスリットイルミネータ（Leica Slit Illuminator）」（後掲非特許文献１参照）がある。
【０００４】
【特許文献１】ＤＥ  ４２２７９４２  Ｃ２
【非特許文献１】Leica Selling Guide OPH 07/02 page 10.5
【発明の開示】
【発明が解決しようとする課題】
【０００５】
しかしながら、このような手術用スリットランプのランプハウジングは、その内部に光源（大抵はハロゲンランプ）が配設されるため、容積が相当大きくなる。更に、そのような既知の手術用スリットランプは、光源に加えて、結像光学系及びスリットを生成する絞りをも内部に含む。このため、少なくともハロゲンランプをファイバ光学系光供給手段に置換することによって、手術用スリットランプの大きさを可及的に小さくすることが試みられている（例えば上掲特許文献１参照）。
【０００６】
手術用スリットランプの必然的な配設部位は、主対物レンズの下方である。しかしながら、この配設部位に存在するかさの大きい構造体は、望ましいものではない。というのは、自由な作動距離が減じられ、その結果、全体として、手術顕微鏡の操作性に不都合が生じるからである。
【０００７】
それゆえ、本発明の課題は、従来技術から既知の手術用スリットランプの上述のような欠点をできるだけ良好に解消することが可能な手術用スリットランプ、及びそのような手術用スリットランプを有する（手術）顕微鏡を提供することである。
【課題を解決するための手段】
【０００８】
上記の課題を解決するために、本発明の一視点により、光源と光学システムを有する照明装置を含む顕微鏡が提供される。この顕微鏡において、前記光源は、規定された照明光路に沿って、コヒーレントな光線束を放射するよう構成されること、前記照明光路に配された前記光学システムは、前記光線束を変化させて照射野を成形するための光変調器を含み、かつ該光変調器は、前記照明光路に配されること、前記光源は、互いに異なる波長を有する少なくとも２つのレーザダイオードを有すること、前記照明装置は、該光変調器を電子的に制御するための電子制御ユニットを有し、該光変調器は、照射野が形状及び大きさに関し時間的に変化可能であるように、該光変調器と接続された前記電子制御ユニットによって制御可能に構成されること、該顕微鏡の顕微鏡ハウジングに、前記照明装置のための円弧セグメント状支持体が配設され、該照明装置は、該円弧セグメント状支持体に沿って旋回運動可能に構成されること、及び、前記円弧セグメント状支持体上における前記照明装置の旋回運動によって、該顕微鏡の顕微鏡軸に対する左右方向の照明角として被検対象への照明の入射角は変化可能であることを特徴とする（形態１・基本構成）。
【発明の効果】
【０００９】
本発明の独立請求項１により、上記課題に対応する効果が達成される。即ち、手術顕微鏡等の顕微鏡の、スリットランプ等の照明装置の構造大きさないし容積を可及的に小さくし、もって、顕微鏡の自由な作動距離を可及的に大きくし、より良好な顕微鏡の操作性を可能にすることができる。
更に、各従属請求項により、付加的な効果がそれぞれ達成される。
【発明を実施するための最良の形態】
【００１０】
以下に、上記基本構成を形態１として示し、更に、従属請求項の対象でもある本発明の好ましい実施の形態も示す。
（形態１）  上掲。
（形態２）  上記形態１の顕微鏡において、前記光源は、少なくとも１つのレーザダイオードを有するか、又は前記光源は、互いに異なる波長を有する少なくとも２つのレーザダイオードを有することが好ましい。
（形態３）  上記形態２の顕微鏡において、前記レーザダイオードの光を前記照明光路に差込入射可能に構成される差込入射装置を有することが好ましい。
（形態４）  上記形態１の顕微鏡において、顕微鏡ハウジングには、前記照明装置のための円弧セグメント状支持体が配設され、該照明装置は該円弧セグメント状支持体に沿って旋回運動可能に構成されることが好ましい。
（形態５）  上記形態１の顕微鏡において、前記照明装置は、前記照明光路の軸の周りで回動可能に支承されることが好ましい。
（形態６）  上記形態１の顕微鏡において、前記光変調器は、偏向ミラーとして構成され、前記照明装置は、該光変調器を電子的に制御するための電子制御ユニットを有し、該光変調器は、照射野が形状及び大きさに関し時間的に変化可能であるように、該光変調器と接続された前記電子制御ユニットによって制御可能に構成されることが好ましい。
（形態７）  上記形態１の顕微鏡において、前記光変調器は、スリット像（矩形像）及び／又は中心照射野及び／又は照明リング及び／又は三日月状照射野を放射するよう構成されることが好ましい。
（形態８）  上記形態６又は７の顕微鏡において、前記照射野は、前記光変調器及び前記電子制御ユニットを介して回動可能に構成され及び／又は前記照射野の１つの形状から前記照射野の他の形状への連続的移行（形状変化）が実行可能に構成されることが好ましい。
（形態９）  上記形態４の顕微鏡において、前記光変調器の前記照射野は、前記円弧セグメント状支持体上の前記照明装置の一方の最外側の旋回位置では、第１の三日月状照射野であり、前記円弧セグメント状支持体上の中央の旋回位置では、スリット像であり、及び前記円弧セグメント状支持体上の前記一方の最外側の旋回位置と反対側の他方の最外側の旋回位置では、前記第１の三日月状照射野に対し鏡像対称的に配向される第２の三日月状照射野であることが好ましい。
（形態１０）  上記形態４の顕微鏡において、前記円弧セグメント状支持体上における前記照明装置の旋回運動によって、（第２）照明角（β）としての被検対象への照明の入射角は変化可能であること、及び（第１）照明角（α）が変化可能であるように前記照明装置の長手方向摺動運動を可能にする（摺動）装置を有することが好ましい。
（形態１１）  上記形態１の顕微鏡において、ステレオ手術顕微鏡として構成されること、及び前記光源は、前記光変調器と共に、スリットランプとして構成されることが好ましい。
【００１１】
本発明者は、新規な光学要素を使用することによって、伝統的な態様で結像を行う光学要素のかさ高い（大容積の）構造を回避することができることを見いだした。
【００１２】
フンボルト−スペクトラム（Humboldt-Spektrum）１／２００３号、５４頁以下の記事（著者ギュンター・ヴェルニケ（Guenther Wernicke）、スヴェン・クリューガー（Sven Krueger）、マルセル・ロガーラ（Marcel Rogalla）及びシュテファン・タイヴェス（Stephan Teiwes）、表題「デジタル光学レーザシステム−新世代光学素子（Das digital-optische Lasersystem−Eine neue Generation optischer Komponenten）」）には、この新たな技術、その知見及び現在の開発状況が紹介されている。そこでは、振幅及び／又は位相に関し高解像度で光波面に影響を及ぼすことが可能な種々のマイクロディスプレイが有利に論じられている。これらのマイクロディスプレイは、レンズ、プリズム、回折格子又はホログラムとしての切換可能な光学素子として使用することが可能である。そのような光変調システムは、例えば、可変焦点距離を有する対物レンズとして、切換可能な回折角を有する回折格子として、プリズムとして及びとりわけ回折性ビームスプリッタ及びビーム成形器（Strahlformer）として使用することが可能である。この新規な技術の特別な注目点は、とりわけ、レーザ光の散乱と関連付けられたシリコン基板上の液晶（Liquid Crystal On Silicon、LCOS）をベースとする新規な光学マイクロディスプレイによって実現可能なアドレス指定（Adressierungs-）及び変調特性にある。
【００１３】
本発明者は、光変調器を使用することにより、構造容積が減少しつつも特性が改善された新規な手術用スリットランプを創出することが可能なことを見出した。
【００１４】
このため、従来の光源（白熱灯、ハロゲンランプ）は、場合によっては、網膜の照明のために好ましくは赤色光を放射するレーザによって置き換えられる。レーザの束ねられている光ビーム（レーザ光線束）は、回折性光学要素、ホログラム又は上述したような種類の切換可能な光学要素として構成され得る光変調器に入射する。切換可能な光学要素は、とりわけ、マイクロディスプレイ（Mikrodisplay）である。
【００１５】
上述の光学要素を含む本発明の手術用スリットランプの好ましい一実施形態は、１つの光源、例えば所望の波長、例えば赤、緑及び青を選択的に放射する１つのレーザを含む。互いに異なる波長を有する複数のレーザを組合せることによって、白色光も生成することができる。尤も、初めから（本来的に）白色光を放射するレーザも使用することができる。
【００１６】
有利なことに、レーザを使用することができるため、上述の形態のスリットランプの光のスペクトル分布は、殆ど任意に調整（適合化）することができる。
【００１７】
本発明の光変調システムの一形態によって、該システムの構成に応じて決定される照射野形状、例えばスリット（矩形）又はリングパターン又はコンピュータと接続される電子ユニットによって生成される時間的に変化する構造及び結像態様が作出される。この場合、伝統的な意味において（屈折的に）光学的に結像する要素は、本質上、最早必要とされない。
【００１８】
本発明のスリットランプの一形態の更なる利点は、ほぼタバコの包装箱程度の大きさで大きさは十分であるということである。これに対し、従来技術の伝統的なスリットランプは、通常、ほぼ顕微鏡自体の構造容積（凡そ１００×２００×２００ｍｍ）に相応する構造容積を有する。
【００１９】
更なる一変形形態では、本発明に応じ、入射して来る光を予め設定可能な固定的変調パターンによって「変調」する光変調器を有するスリットランプが提供される。
【００２０】
光変調器は、同時に、照明光を差込入射する偏向ミラーとして配置されるミラー又は反射ディスプレイとしても（即ち変調作用及び偏向作用を有するよう）構成可能である。
【００２１】
上述したように、本発明の光変調器によって、例えばスリット（矩形）又はリング又は三日月（状の光パターンないし照射野）が、照明（光パターン）として生成される。矩形状の照射野は、眼の膜構造を識別するためにとりわけ良好に適し、良好な深さ（被写体深度・焦点深度範囲）の認識を伴う観察を可能にする。これに対し、三日月状の照射野は、反射がより少ない照明にとりわけ良好に適する。三日月形状によって、患者の虹彩ないし全周囲領域において不所望の反射を生成する照明を回避することができる。
【００２２】
尤も、本発明の更なる一実施形態では、光変調器は、被検対象において、より好ましい態様でいわゆる赤色反射を生成する中央の、恐らく好ましくは円形の照射野が形成されるように、レーザビームを偏向することも可能である。このような（レーザビームの）偏向の利点は、そのような照射野を生成する光ビームが患者の眼の瞳を貫通通過することである。このため、手術者が、患者の眼の内部の照射野を知覚する（見る）際に障害になり得る周囲領域照明の生成を阻止することができる。この場合も同様に、赤の波長を有するレーザダイオードが好ましい。赤色反射を生成するこの実施形態の利点は、無害な赤色光のみが使用され、いわゆる有害青色光も、ＵＶ光も、ＩＲ光も使用されないことである。
【００２３】
更に、手術顕微鏡におけるスリットランプの機械的結合を調整可能に構成することも可能である。このため、顕微鏡の軸に対し角度的にずらされた１つの位置から、中央のコアキシャルな位置を経由し、反対側に角度的にずらされた他の１つの位置までの照明の旋回運動を可能にする円弧セグメント状支持体を使用することができる。この旋回運動の実行の際、例えば、スリット状（矩形状）照射は、旋回方向に対し垂直に又は場合によっては平行に配される（配向される）ことが可能である。尤も、１つの実施形態では、月の位相（満ち欠け）のように、（円弧セグメント状支持体の）１つの最外部（１つの端部）における旋回位置では、１つの（第１の）三日月状照射野が生成され、（円弧セグメント状支持体の）中央部の（旋回）位置では、矩形又は方形の照射野に移行（とりわけ、徐々にないし連続的に変化ないし変形）し、そして、（とりわけ、引き続き、徐々にないし連続的に変化ないし変形して、）（円弧セグメント状支持体の）該中央部を挟んだ反対側（他方の最外部ないし端部）では、鏡像対称的に反転された三日月形状（の照射野）が生成されるように構成することも可能である。
【００２４】
上述の円弧セグメント状支持体は、外科医の位置（主たる作業ないし顕微鏡観察位置）に対し左右に摺動するようなスリットランプの横方向位置調整運動を可能にする。尤も、患者の眼を最も良好に隈なく照らすためには、円弧セグメント状支持体の有無に拘わらず、スリットランプの長手方向摺動運動（例えば外科医の位置に対する前後方向の摺動運動）も重要な調整可能性であることが判明している。これ（スリットランプの長手方向摺動運動）は、とりわけ、最も明るい照明に依存するだけではなく、その時々の状態により規定される入射角度に依存する（して生成される）最良の高コントラスト赤色反射に関して重要である。
【００２５】
上述の位置調整運動に加えて、スリットランプのそれ自身の軸の周りでの回動運動が実行されるように構成することも可能である。
【００２６】
本発明の照明装置を有する顕微鏡の更に好ましい一変形形態では、照明装置は、着脱可能に構成される。これによって、選択的に、変調された（変化された）光線束による照明が実行されるか、又はその代わりに当該配設部位において（更なる）従来の顕微鏡照明が実行されるように構成することも可能である。
【００２７】
光変調器は、本発明の枠内において、光線束の予め設定可能な形状の生成、即ち、例えばスリット光、リング光又は中心照射野を生成するために所定のビーム形状に構成可能である。尤も、光変調器は、時間的に変化する構造を例えばコンピュータ又はその他の制御ユニットによって生成することができるように、当該光変調器に接続される電子制御ユニットによって制御可能なように構成することも好ましい。光変調器のコンピュータ支援制御によって、照射野の形状及び大きさ（高さ、幅）を変化することができる。光変調器のこのような制御によって、自由な選択に従って、上述のような互いに異なる複数の照射野形状の間で種々に（往復的ないし相互に）切換える可能性も得られる。
【００２８】
手術用スリットランプの本発明の一実施形態に関しては、以下に、実施例として、顕微鏡と組合せたものについて説明する。しかしながら、原理的に１つのスリットランプと１つの拡大観察装置から構成されるいわゆる診断用スリットランプ（Diagnose-Spaltlampe）等にも適用可能であることに注意すべきである。
【００２９】
以下に、本発明の実施例を図面を参照して説明する。なお、以下の実施例は、発明の理解の容易化のためのものに過ぎず、本発明の技術的思想を逸脱しない範囲において当業者により実施可能な付加・削除・転換等を施す可能性を排除することは意図しない。また、特許請求の範囲に付した図面参照符号も、発明の理解の容易化のためのものに過ぎず、本発明を図示の態様に限定することは意図しない。なお、これらの点に関しては、補正・訂正後においても同様である。
【００３０】
なお、各図面は、互いに関連して記載されている。従って、同じ図面参照符号は、同じ構造要素等を意味し、添え字が異なる同じ図面参照符号は、機能的に同じ又は類似の構造要素等を意味する。
【実施例】
【００３１】
図１は、本発明の照明装置２６の一例を模式的に示す。この照明装置２６では、例えば白熱灯、ハロゲンランプ等の伝統的な光源の代わりに、コヒーレントな光を放射するための光源を使用している。好ましい一実施例では、コヒーレント光のためのこの光源は、電気的エネルギ源（不図示）から給電線５を介してエネルギが供給されるレーザダイオード１である。
【００３２】
このレーザダイオード１の波長は要求に応じて選択することができるが、選択的に異なる複数の波長のレーザ光を放射するよう励起可能なレーザダイオードを使用することも可能である。網膜手術のためには、好ましくは、赤色光を放射するレーザダイオード１が選択される。ここで注意すべきことは、レーザダイオードの多くは完全なコヒーレント光を放射するわけではないが、そのような光も、本発明の枠内においては、なお、「コヒーレント」という概念に含まれると解すべきことである。更に、使用態様に応じて、レーザダイオード１の出力は、その都度の要求に適合することができる。
【００３３】
レーザダイオード１から放射される照明光路（これは軸２ａによって象徴的に図示されている）は、光変調器３に入射する。
【００３４】
光変調器３には、給電線７を介して電源に接続される制御ユニット６が割り当て配設（接続）される。制御ユニット６によって光変調器３に影響を及ぼすことにより、例えば図１-ａに示されているような照射野即ち矩形（スリット）４、円形照射野４ａ、リング状照射野４ｂ又は三日月状照射野４ｃを生成（成形）することができる。制御ユニット６は、照射野の大きさを変更することができ、（同一又は異なる）照射野が時間的に順次（ないし連続的に）自動的に生成されるようにすることができ、又はある所定の照射野形状を他の所定の照射野形状に切換えることができる。この切換は、ある照射野形状から他の照射野形状に（モーフィング的に）連続的に（徐々に）移行（変化ないし変形）するように行われることが好ましい。
【００３５】
図１-ｂは、本発明の照明装置２６の容易に変化される一変形例を示す。この照明装置２６では、光変調器３’は、偏向ミラーとして（の作用効果を同時に奏することが可能なように）構成及び配置される。例えば、図１-ｂに示されているように、光変調器３’は、中心照射野４ａ及び照明リング４ｂから構成される照明を生成する。
【００３６】
図２は、２つのレーザダイオード１及び１ａを有するよう構成された照明装置２６の一変形例を示す。尤も、これは、単なる例であり、３以上のレーザダイオードを有するよう構成することも可能である。図２の場合、レーザダイオード１ａ（からの光）が偏向ミラー８ｂ（又は偏向プリズム）（の配置）によって及びレーザダイオード１（からの光）が該偏向ミラー８ｂに対し平行に整列（配向）される部分透過性偏向ミラー８ａ（の配置）によって、軸２ａによって象徴的に図示されている照明光路にコアキシャル（同軸的）に（差込）入射されることが好ましい。
【００３７】
このような構成によって、互いに異なる波長を有するレーザダイオード１、１ａ等を使用することにより、一方又は他方の波長を選択的に被検対象に向けること、例えば赤色、緑色、青色等の何れか１つの波長を選択的に被検対象に向けることが可能になり、又は適切な複数の波長を混合することにより白色光を生成することも可能になる（尤も、図１のような構成でも、複数の波長を放射可能な１つのレーザ光源によっても放射波長の選択的切換は可能であり、また、初めから白色光を放射する１つのレーザ光源を使用することも可能である。）。なお、例えば、ほぼ同じ放射波長を有する複数のレーザダイオード１、１ａ等を使用することにより、光強度を増強できることも明らかである。
【００３８】
光変調器３は、図２の実施例では、三日月状の照射野４ｃを生成するよう構成されている。照明光路の軸２ａの周りで照明装置２６を回動することにより、三日月状照射野４ｃも、任意に回動運動（矢印１５参照）することができる。これは、手動又はモータ駆動的に行うことができるが、光変調器３に対する制御ユニット６の作用のみによって、三日月状照射野４ｃの回動運動（矢印１５参照）を電子的に引き起こすことも可能である。
【００３９】
図３は、本発明の照明装置２６を有する顕微鏡１０の一例の正面図である。被検対象１３から到来する光ビームは、象徴的に示されているが、主対物レンズ２４によって受光され、顕微鏡ハウジング２３及び鏡筒ハウジング２２を貫通通過し、それぞれ軸１２及び１２’を有する２つの光路を介して、接眼レンズ２０及び２０’に供給される。顕微鏡ハウジング２３の背部には、照明装置２６の旋回運動を可能にする円弧セグメント状支持体１４が配設される。この旋回運動（矢印１６参照）は、手動又はモータ駆動的に実行することができる。照明装置２６に関しては、この正面図においては、円弧セグメント状支持体１４の顕微鏡軸２５に相応する中央位置に配置されている偏向プリズム８のみが視認可能に図示されている。照明装置２６を旋回して位置８’に配置すると、軸２ｂ’によって象徴的に図示された変調（変化ないし変形）された照明光路は、顕微鏡軸２５に対し（第２）照明入射角βをなす（顕微鏡に対する横方向ないし左右方向の照明角の調整）。
【００４０】
図３−ａは、本発明に応じ光変調器３の旋回運動（矢印１６）によって生成可能な照射野の（形状変化の）推移を示す。制御ユニット６の相応の作用によって、例えば、（円弧セグメント状支持体１４の一方の端部側における）一方の最外側旋回位置ａにおいて、光変調器３は、（所定の配向を有する）三日月状照射野４ｃを生成することができる。（光変調器３を円弧セグメント状支持体１４に沿って、一方の最外側旋回位置ａから、旋回位置ｂ〜ｄを介し、該一方の最外側旋回位置ａと反対側の円弧セグメント状支持体１４の他方の端部側に位置する他方の最外側旋回位置ｅまで旋回することにより、）この三日月状照射野４ｃは、旋回位置ｂにおいて、三日月形状と矩形形状との中間形状を有する照射野４ｂに変化し、次いで、中央旋回位置ｃにおいて、整った矩形のスリット形状に変化し、旋回位置ｄ及びｅにおいては、それぞれ、照射野４ｄ及び４ｃの形状と鏡像対称的な形状を有する照射野４ｄ’及び４ｃ’に変化する。（照射野のこの一連の形状変化は、好ましくは、モーフィング的に徐々に（ないし連続的に）行われるが、例えば各旋回位置に到達したとき初めて各自の所定形状に変化される等のように不連続的に行われることも可能である。）
【００４１】
図４は、図３に示した本発明の照明装置２６と顕微鏡１０の組み合わせの側面図である。軸１２を有する光路は、図４では、軸１２’を有する光路の背後（紙面裏側）に（隠れて）位置している。図４は、照明装置２６（の各構成要素）が、円弧セグメント状支持体１４に（可動的に）配設された照明装置ハウジング９の中に収容されている様子を示している。（摺動）装置１８と固定要素１９とによって、照明装置２６は、二重矢印１７に沿って摺動することができる。これによって、変調された照明光路２ｂと顕微鏡軸２５との間に形成される（第１）照明角αを変化することができる（顕微鏡に対する、即ち観察者から見て縦方向ないし前後方向の照明角の調整）。コアキシャル（同軸）照明では、偏向プリズム８は、２つの光路１２と１２’の間に位置され（図３参照）、更に、顕微鏡軸２５と変調された照明光路の軸２ｂ（の偏向された部分）とが重なるように位置される。この場合、２つの照明角α及びβは、何れもゼロに等しい。照明装置２６が摺動されると、（第１）照明角αが変化する。軸２ｂによって示されている変調された照明光路が常に患者の眼の瞳に入射するためには、偏向プリズム８を適切な装置によって相応に傾動運動（矢印２１参照）させる必要がある。このため、照明装置２６の並進運動と共に（同時に）、（照明装置２６に対する）偏向プリズム８の傾動角γも相応に変化するよう構成される。
【００４２】
照明装置２６は、好ましくは全体として、偏向プリズム８と共に、円弧セグメント状支持体に軸２ａの周りで回動可能に支承される。このため、患者の眼１３上の照射野は、当該回動運動（矢印１５参照）に応じて旋回ないし偏心（dezentriert）されることができる。
【００４３】
更なる一変形例（詳細不図示）では、偏向プリズム８は、上記の回動運動（矢印１５参照）を（照明装置ハウジング９ないし光源部分とは）一緒に実行しないように構成され、その結果、患者の眼１３の照射野４は、上述した制御ユニット６を介した電子的に制御される回動運動に加えて、機械的に回動されるよう構成することも可能である。
【図面の簡単な説明】
【００４４】
【図１】本発明の照明装置の第１実施例の模式図。
【図１−ａ】照射野の可能な形状例。
【図１−ｂ】偏向ミラーとして配設・構成された光変調器の一例を有する、図１の実施例の一変形例。
【図２】２つのレーザダイオードを有する本発明の照明装置の第２実施例の模式図。
【図３】本発明の照明装置を有する顕微鏡の一例の正面図。
【図３−ａ】円弧セグメント状支持体の一例に沿った本発明の照明装置の旋回運動によって生成される照射野の形状（の連続的な変形の一例）。
【図４】図３の顕微鏡の側面図。
【符号の説明】
【００４５】
１、１ａ        レーザダイオード
２ａ            照明光路の軸
２ｂ            変調された照明光路の軸
３              光変調器
４              スリット像
４ａ            中心照射野
４ｂ            照明リング（リング状照射野）
４ｃ、４ｃ’    三日月状照射野
４ｄ、４ｄ’    三日月形状と矩形形状の中間の移行照射野
５              給電線
６              ３の電子制御ユニット
７              給電線
８              偏向プリズム
８ａ            （部分透過性）偏向ミラー
８ｂ            偏向ミラー
９              照明装置ハウジング
１０            顕微鏡
１１            観察者
１２、１２’    光路
１３            被検対象、患者の眼
１４            円弧セグメント状支持体
１５            軸２ａの周りでの回動運動（を表す矢印）
１６            旋回運動（を表す矢印）
１７            並進（摺動）運動（を表す矢印）
１８            （摺動）装置
１９            固定要素
２０、２０’    接眼レンズ
２１            ８の傾動運動（を表す矢印）
２２            鏡筒ハウジング
２３            顕微鏡ハウジング
２４            主対物レンズ
２５            顕微鏡軸（主光軸）
２６            照明装置
ａ−ｅ          １６の旋回位置
α、β          （第１及び第２）照明角
γ              ８の傾動角
【図１】
0005189257.tif 000002
【図１−ａ】
0005189257.tif 000003
【図１−ｂ】
0005189257.tif 000004
【図２】
0005189257.tif 000005
【図３】
0005189257.tif 000006
【図３−ａ】
0005189257.tif 000007
【図４】
0005189257.tif 000008